(57)【特許請求の範囲】
【請求項１】
接続部品および前記接続部品をシールドするためのシールド部品が装着されたプリント配線基板と、
一対のシールドケースからなり、前記シールド部品と電気的接続が行われるように前記プリント配線基板が固定されたシールド筐体と、
一対の外装ケースからなり、前記シールド筐体が固定された外装筐体とを備えた電子機器筐体であって、
前記一対のシールドケースの一方に突起を設け、前記一対のシールドケースの他方に前記突起に対応する孔を設け、前記突起を前記孔に嵌合させて前記一対のシールドケース同士を電気的接続を行うとともに互いに固定することにより前記シールド筐体を構成し、
前記一対のシールドケースの各々の中央部に外方に向かって突出する突部を設け、前記一対の外装ケースの内面に前記突部をそれぞれ当接させて前記一対の外装ケース同士を固定することにより前記外装筐体を構成し、
前記一対のシールドケースの一方に前記接続部品の先端部が挿入される接続孔を設け、前記シールド部品に外方に向かって弾性力を有する舌片を設け、前記接続部品の先端部を前記接続孔に挿入する際、前記シールド部品の舌片を撓ませて前記接続孔の周囲に当接させることにより前記一対のシールドケースの一方と前記シールド部品との電気的接続を行うことを特徴とする電子機器筐体。
【請求項２】
前記一対の外装ケースの各々に内方に向かって突出し前記突部に対応するリブを設け、前記突部を前記リブにそれぞれ当接させることを特徴とする請求項１に記載の電子機器筐体。
【請求項３】
前記一対のシールドケースの一方に複数の突起を設け、前記一対のシールドケースの他方に前記突起に対応する複数の孔を設け、前記一対のシールドケースの他方に設ける前記複数の孔のうち前記一対のシールドケースの他方の端部に近接するものは楕円形としたことを特徴とする請求項１に記載の電子機器筐体。
【請求項４】
取付け対象に取付けられる取付け部材に摺動可能に支持させるようにしたことを特徴とする請求項１に記載の電子機器筐体。
【請求項５】
請求項１ないし４のいずれか一項に記載の電子機器筐体を用いたことを特徴とする電子機器。
【発明の詳細な説明】
【０００１】
【発明の属する技術分野】
本発明は、例えば、テーブルに取付けられる語学学習装置のユニット等の電子機器筐体に関する。
【０００２】
【従来の技術】
例えば、信号入出力用のジャック等が装着されたプリント配線基板と、このプリント配線基板を収容するシールド筐体と、このシールド筐体を収容する外装筐体とを備えた語学学習装置のユニットが知られている。このようなユニットは、従来、プリント配線基板をシールド筐体にねじにより固定した後、該シールド筐体を外装筐体にねじにより固定することにより組立てていた。また、組立てたユニットは、いわゆるＬ型アングル等を用いてねじによりテーブルに取付けていた。
【０００３】
【発明が解決しようとする課題】
しかしながら、ねじによるユニットの組立て作業には、手間がかかっていた。また、サービスやメンテナンスの際にも、ユニットをテーブルから取外して分解するのに全てのねじを外さなければならず、手間がかかっていた。更に、その後ユニットを再度組立てて取付けるのにも全てのねじを再度締直さなければならず、手間がかかっていた。
【０００４】
本発明は、このような実情に鑑みて為されたものであり、組立ての際および分解／再組立ての際に手間がかからず、作業性を改善することができるような電子機器筐体を提供することを目的としている。
【０００５】
【課題を解決するための手段】
上述した目的を達成するため、本発明の電子機器筐体は、接続部品および前記接続部品をシールドするためのシールド部品が装着されたプリント配線基板と、一対のシールドケースからなり、前記シールド部品と電気的接続が行われるように前記プリント配線基板が固定されたシールド筐体と、一対の外装ケースからなり、前記シールド筐体が固定された外装筐体とを備えた電子機器筐体であって、前記一対のシールドケースの一方に突起を設け、前記一対のシールドケースの他方に前記突起に対応する孔を設け、前記突起を前記孔に嵌合させて前記一対のシールドケース同士を電気的接続を行うとともに互いに固定することにより前記シールド筐体を構成し、前記一対のシールドケースの各々の略中央部に外方に向かって突出する突部を設け、前記一対の外装ケースの内面に前記突部をそれぞれ当接させて前記一対の外装ケース同士を固定することにより前記外装筐体を構成したことを特徴としている。このような電子機器筐体によれば、ねじを用いていないため、組立ての際および分解／再組立ての際に手間がかからず、作業性を改善することができる。
【０００６】
また、本発明の電子機器筐体は、前記一対の外装ケースの各々に内方に向かって突出し前記突部に対応するリブを設け、前記突部を前記リブにそれぞれ当接させることを特徴としている。このような電子機器筐体によれば、シールド筐体と一対の外装ケースとをより確実に接触させることができる。
【０００７】
また、本発明の電子機器筐体は、前記一対のシールドケースの一方に複数の突起を設け、前記一対のシールドケースの他方に前記突起に対応する複数の孔を設け、前記一対のシールドケースの他方に設ける前記複数の孔のうち前記一対のシールドケースの他方の端部に近接するものは略楕円形としたことを特徴としている。このような電子機器筐体によれば、突起と孔を遊嵌状態にすることができる。
【０００８】
また、本発明の電子機器筐体は、前記一対のシールドケースの一方に前記接続部品の先端部が挿入される接続孔を設け、前記シールド部品に外方に向かって弾性力を有する舌片を設け、前記接続部品の先端部を前記接続孔に挿入する際、前記シールド部品の舌片を撓ませて前記接続孔の周囲に当接させることにより前記一対のシールドケースの一方と前記シールド部品との電気的接続を行うことを特徴としている。このような電子機器筐体によれば、一対のシールドケースの一方とシールド部品との電気的接続を確実に行うことができる。
【０００９】
また、本発明の電子機器筐体は、取付け対象に取付けられる取付け部材に摺動可能に支持させるようにしたことを特徴としている。このような電子機器筐体によれば、電子機器筐体を取付け対象から簡単に取外すことができる。
【００１０】
また、本発明の電子機器は、上述したような電子機器筐体を用いたことを特徴としている。このような電子機器によれば、ねじを用いていないため、組立ての際および分解／再組立ての際に手間がかからず、作業性を改善することができる。
【００１１】
【発明の実施の形態】
以下、本発明の一実施形態について図面を参照しながら詳細に説明する。なお、本実施形態は本発明を語学学習装置のユニットに適用したものである。
【００１２】
図１〜図９は、本実施形態のユニットの構成およびその組立て工程を説明するための図である。まず、図１に示すように、接続部品であるマイクジャック等のジャック１および該ジャック１をシールドかつ補強するための金属材料からなるシールド部品であるジャックシールド２を、略矩形状のプリント配線基板１０の部品面１１に半田付けにより装着する。このプリント配線基板１０の対向する２つの辺１２および１３には、一対の凹部１４および１５がそれぞれ設けられている。また、ジャックシールド２の各々には、外方に向かって弾性力を有する舌片２ａが設けられている（図３参照）。
【００１３】
次に、図２に示すように、ジャック１およびジャックシールド２が装着されたプリント配線基板１０を、そのパターン面１６を上方に向けた状態で、一対のシールドケースの一方である金属材料からなる下部シールドケース２０に固定する。この平面形状が略矩形状の下部シールドケース２０の対向する２つの側壁２１および２２には、プリント配線基板１０の一対の凹部１４および１５に対応させて、一対のフック２３および２４がそれぞれ設けられている。これら一対のフック２３および２４を一対の凹部１４および１５にそれぞれ嵌合させることにより、プリント配線基板１０はねじを用いることなく下部シールドケース２０に固定される。また、下部シールドケース２０の側壁２１には、後述する上部シールドケース４０の３つの突起４２，４３，４４がそれぞれ嵌合する、３つの孔２５，２６，２７がそれぞれ設けられている。これらの孔２５，２６，２７のうち、下部シールドケース２０の端部（四隅）に近接するもの２５および２７は長径方向を上下方向とする略楕円形状に形成されている（図５参照）。なお、図示を省略するが、下部シールドケース２０の側壁２１に対向する側壁２２にも、３つの孔がそれぞれ設けられている。 更に、下部シールドケース２０の側壁２１および２２と直交する、対向する２つの側壁２８および２９には、プリント配線基板１０に装着されたジャック１に対応させて、ジャック１の先端部がそれぞれ挿入される接続孔であるジャック孔３０が設けられている。そして、プリント配線基板１０を下部シールドケース２０に固定するのに伴い、ジャック１の先端部をジャック孔３０にそれぞれ挿入する際、図３に示すように、ジャックシールド２の舌片２ａを撓ませてジャック孔３０の周囲にそれぞれ当接させることにより、下部シールドケース２０とジャックシールド２との電気的接続（接地のための接続）を図るようにしている。更にまた、下部シールドケース２０の略中央部には、後述する下部外装ケース６０のリブ６１に当接する、外方に向かって突出する、平面形状が略円形状で０．５ｍｍ程度の高さを有する突部３１が設けられている。
【００１４】
次に、図４に示すように、一対のシールドケースの他方である金属材料からなる上部シールドケース４０を、プリント配線基板１０が固定された下部シールドケース２０に固定する。この平面形状が略矩形状の上部シールドケース４０の側壁４１には、下部シールドケース２０の３つの孔２５，２６，２７に対応させて、内方に向かって突出する３つの突起４２，４３，４４がそれぞれ設けられている。なお、図示を省略するが、上部シールドケース４０の側壁４１に対向する側壁４５にも、３つの突起がそれぞれ設けられている。そして、突起４２，４３，４４を孔２５，２６，２７にそれぞれ嵌合させることにより、一対のシールドケース同士すなわち上部シールドケース４０および下部シールドケース２０が相互に電気的接続（接地のための接続）を図りながら、ねじを用いることなく固定される。これにより、シールド筐体１００が構成される。ここで、図５に示すように、中央に設けられた突起４３と孔２６は完全嵌合状態にあるが、両側に設けられた突起４２と孔２５および突起４４と孔２７は遊嵌状態にあり、突起４３と孔２６の嵌合位置を支点とするシールド筐体１００の端部（四隅）の矢印方向への反りが可能となっている。また、上部シールドケース４０の略中央部には、後述する上部外装ケース５０のリブ５１に当接する、外方に向かって突出する、平面形状が略円形状で０．５ｍｍ程度の高さを有する突部４６が設けられている。
【００１５】
次に、図６および図７に示すように、シールド筐体１００を、一対の外装ケースすなわち樹脂材料からなる上部外装ケース５０（図６では図示を省略）および下部外装ケース６０にそれぞれ固定する。平面形状が略矩形状のこれらの上部外装ケース５０および下部外装ケース６０には、シールド筐体１００の突部４６および３１に対応させて、内方に向かって突出する略格子状のリブ５１および６１がそれぞれ設けられている。また、上部外装ケース５０および下部外装ケース６０には、側面リブ５２および６２がそれぞれ設けられているとともに、相互に嵌合される爪５３および６３がそれぞれ設けられている。更に、上部外装ケース５０には、後述するサイドプロテクタ７０の突条７１ｂおよびサイドプロテクタ８０の突条８１ｂがそれぞれ摺動可能に嵌合される、一対の略平行な溝５４および５５がそれぞれ設けられている。同様に、下部外装ケース６０には、後述するサイドプロテクタ７０の突条７２ａおよびサイドプロテクタ８０の突条（図示を省略）がそれぞれ摺動可能に嵌合される、一対の略平行な溝６４および６５がそれぞれ設けられている。更にまた、上部外装ケース５０には、後述するカムねじ９１が螺合される一対のねじ穴５６および５７がそれぞれ設けられている（図１０参照）。
【００１６】
ここで、上部外装ケース５０および下部外装ケース６０をシールド筐体１００に対して接近させていくと、図８に示すように、シールド筐体１００の突部４６および３１が上部外装ケース５０のリブ５１および下部外装ケース６０のリブ６１にそれぞれ最初に当接する。更に、上部外装ケース５０および下部外装ケース６０を接近させていくと、図９に示すように、上部外装ケース５０のリブ５１および下部外装ケース６０のリブ６１によりシールド筐体１００の突部４６および３１がそれぞれ押圧され、これにより、シールド筐体１００の端部すなわち上部シールドケース４０の四隅および下部シールドケース２０の四隅が矢印方向にそれぞれ反って、上部外装ケース５０の内面および下部外装ケース６０の内面にそれぞれ当接する。この状態で、爪５３および６３を相互にそれぞれ嵌合させることにより、一対の外装ケース同士すなわち上部外装ケース５０および下部外装ケース６０が、ねじを用いることなく相互に固定される。これにより、外装筐体２００が構成される。ここで、上部シールドケース４０の突部４６および四隅が上部外装ケース５０に当接し、下部シールドケース２０の突部３１および四隅が下部外装ケース６０に当接するため、ねじを用いないにも拘らず、シールド筐体１００は外装筐体２００に安定して固定される。なお、上部シールドケース４０は下部シールドケース２０に対して若干開きぎみとなるが、この開きは上部外装ケース５０および下部外装ケース６０に設けられた側面リブ５２および６２により矯正される。このようにして、本実施形態の語学学習装置のユニットが完成される。ねじを用いていないため、該ユニットを簡単に組立てることができる。なお、上部外装ケース５０のリブ５１および下部外装ケース６０のリブ６１は無くても構わないが、リブ５１および６１が有れば、シールド筐体１００と上部外装ケース５０および下部外装ケース６０とをより確実に接触させることができる。
【００１７】
図１０および図１１は、本実施形態の語学学習装置のユニットのテーブルへの取付け工程を説明するための図である。取付け対象であるテーブルへの取付けには、取付け部材である左右一対の樹脂材料からなるサイドプロテクタ７０および８０が用いられる。左側のサイドプロテクタ７０には、貫通孔７１ａおよび突条７１ｂを有する上突出部７１と、突条７２ａを有する下突出部７２と、貫通孔７３および７４とが設けられている。同様に、右側のサイドプロテクタ８０には、貫通孔８１ａおよび突条８１ｂを有する上突出部８１と、突条を有する下突出部（図示を省略）と、貫通孔８３および８４とが設けられている。
【００１８】
まず、図１０に示すように、上突出部７１の突条７１ｂを上部外装ケース５０の溝５４に嵌合させるとともに、下突出部７２の突条７２ａを下部外装ケース６０の溝６４に嵌合させながら、左側のサイドプロテクタ７０を矢印方向に摺動させる。同様に、上突出部８１の突条８１ｂを上部外装ケース５０の溝５５に嵌合させるとともに、下突出部の突条（図示を省略）を下部外装ケース６０の溝６５に嵌合させながら、右側のサイドプロテクタ８０を矢印方向に摺動させる。この状態で、本実施形態の語学学習装置のユニットは、サイドプロテクタ７０および８０により摺動可能に支持されている。そして、上突出部７１の貫通孔７１ａの位置が上部外装ケース５０のねじ穴５６の位置と一致した時点で、貫通孔７１ａを介してねじ穴５６にカムねじ９１を螺合させることにより、左側のサイドプロテクタ７０がユニットに固定される。同様に、上突出部８１の貫通孔８１ａの位置が上部外装ケース５０のねじ穴５７の位置と一致した時点で、貫通孔８１ａを介してねじ穴５７にカムねじ９１を螺合させることにより、右側のサイドプロテクタ８０がユニットに固定される。
【００１９】
次に、図１１に示すように、サイドプロテクタ７０および８０が固定されたユニットをテーブル９２の上面の所定位置に載置し、貫通孔７３，７４および８３，８４を介してねじ９３をそれぞれ締めることにより、該ユニットがテーブル９２の上面に固定される。このようにして、本実施形態のユニットが取付けられる。なお、ユニットに対してサイドプロテクタ７０および８０を上下逆に固定することにより、該ユニットをテーブル９２の下面に固定することも可能である。
【００２０】
本実施形態によれば、ねじを用いていないため、ユニットを簡単に組立てることができる。また、組立ての際に、上部シールドケース４０の突部４６および四隅が上部外装ケース５０に当接し、下部シールドケース２０の突部３１および四隅が下部外装ケース６０に当接するため、ねじを用いていないにも拘らず、シールド筐体１００を外装筐体２００に安定して固定することができる。更に、ジャックシールド２の各々には舌片２ａが設けられているため、ジャックシールド２とシールド筐体１００との電気的接続（接地のための接続）も良好である。
【００２１】
なお、サービスやメンテナンスの際には、２個のカムねじ９１を外し、図１１に示すように、ユニットを矢印方向に摺動させるのみで、該ユニットをテーブル９２から簡単に取外すことができる。また、ねじを用いていないため、取外したユニットを簡単に分解することができる。更に、ねじを用いていないため、分解したユニットを簡単に再度組立てることができる。更にまた、再度組立てたユニットを図１１の矢印方向とは逆方向に摺動させ、２個のカムねじ９１を締直すのみで、該ユニットをテーブル９２に簡単に再度取付けることができる。
【００２２】
【発明の効果】
上述した説明から明らかなように、本発明の電子機器筐体によれば、ねじを用いていないため、組立ての際および分解／再組立ての際に手間がかからず、作業性を改善することができる。
【図面の簡単な説明】
【図１】本発明の一実施形態のユニットの構成およびその組立て工程を説明するための、ジャック、ジャックシールドおよびプリント配線基板を示す斜視図である。
【図２】同じく、プリント配線基板および下部シールドケースを示す斜視図である。
【図３】同じく、ジャックシールドおよびその周辺を拡大して示す側面図である。
【図４】同じく、上部シールドケースおよび下部シールドケースを示す斜視図である。
【図５】同じく、上部シールドケースおよび下部シールドケースを相互に固定してなるシールド筐体を示す側面図である。
【図６】同じく、シールド筐体および下部外装ケースを示す斜視図である。
【図７】同じく、シールド筐体、上部外装ケースおよび下部外装ケースを示す断面図である。
【図８】同じく、シールド筐体、上部外装ケースおよび下部外装ケースを示す断面図である。
【図９】同じく、シールド筐体、上部外装ケースおよび下部外装ケースを示す断面図である。
【図１０】本発明の一実施形態のユニットのテーブルへの取付け工程を説明するための、ユニットおよび左右一対のサイドプロテクタを示す斜視図である。
【図１１】同じく、左右一対のサイドプロテクタが固定されたユニットおよびテーブルを示す斜視図である。
【符号の説明】
１  ジャック
２  ジャックシールド
２ａ  舌片
１０  プリント配線基板
２０  下部シールドケース
２５，２６，２７  孔
３０  ジャック孔
３１，４６  突部
４０  上部シールドケース
４２，４３，４４  突起
５０  上部外装ケース
５１，６１  リブ
５４，５５，６４，６５  溝
６０  下部外装ケース
７０，８０  サイドプロテクタ
７１ｂ，７２ａ，８１ｂ  突条
１００  シールド筐体
２００  外装筐体
【図１】
0004628582.tif 000002
【図２】
0004628582.tif 000003
【図３】
0004628582.tif 000004
【図４】
0004628582.tif 000005
【図５】
0004628582.tif 000006
【図６】
0004628582.tif 000007
【図７】
0004628582.tif 000008
【図８】
0004628582.tif 000009
【図９】
0004628582.tif 000010
【図１０】
0004628582.tif 000011
【図１１】
0004628582.tif 000012